(57)【要約】【課題】  熟練者によるノウハウ的な設計によらず自動的に最適記録パワーおよび最適β値を自動処理によって決定することを目的とする。【解決手段】  光ディスクの記録面のテスト記録領域に、記録面の色素の種類に応じた規定のβ値にて試し書きを行い、その部分を再生して初期記録パワーを求めるＯＰＣ処理を行い、その求めた記録パワーで３Ｔと１１Ｔを少なくとも含むパターンを前記テスト記録領域に記録し、前記記録したパターンの振幅を測定して振幅が飽和するまで徐々に記録パワーを増大して繰り返し振幅を測定し、飽和直前の記録パワーになるときのパワーを最適記録パワーと決定し、決定した各光ディスクの最適記録パワーを生産する各光ディスク記録再生装置に固定値として書き込むことを特徴とする。【選択図】  図２
2005108309.tif 000002
【特許請求の範囲】
【請求項１】
光ディスク記録再生装置を生産するに際し、
記録パワーの決定を実施しようとする光ディスク記録再生テスト装置に書き込み可能な光ディスクをセットし、
前記光ディスクの記録面のテスト記録領域に、前記記録面の色素の種類に応じた規定のβ値にて試し書きを行い、その部分を再生して初期記録パワーを求めるＯＰＣ（Optimized Power Control）処理を行い、その求めた記録パワーで３Ｔと１１Ｔを少なくとも含むパターンを前記テスト記録領域に記録し、
前記記録したパターンの振幅を測定して振幅が飽和するまで徐々に記録パワーを増大して繰り返し振幅を測定し、飽和直前の記録パワーになるときのパワーを最適記録パワーと決定して、上記の処理を記録面の色素の異なる複数の光ディスクについて実施して、各光ディスクの最適記録パワーを決定し、
決定した各光ディスクの最適記録パワーを生産する各光ディスク記録再生装置に固定値として書き込む
光ディスク記録再生装置の生産方法。
【請求項２】
３Ｔと１１Ｔを少なくとも含むパターンを、ランダムパターン、もしくは３Ｔと１１Ｔの混合パターンとし、振幅を測定して振幅が飽和するかどうかの判定を、３Ｔと１１Ｔのパターンについて実施する
請求項１記載の光ディスク記録再生装置の生産方法。
【請求項３】
セットされた書き込み可能な光ディスクの記録面のテスト記録領域への書き込みならびに検出を実施するピックアップと、
前記ピックアップをテスト記録パワーで駆動するレーザ駆動回路と、
このレーザ駆動回路によって駆動されて前記記録面前記ピックアップの再生経路に介装されて３Ｔパターンと１１Ｔパターンの振幅をデジタル変換するアナログ−デジタル変換器と、
前記アナログ−デジタル変換器によってデジタル変換されたデータを処理するデジタルリードチャネル部と、
ホストコンピュータから入力された記録面の色素の異なる複数の光ディスクについてのβ値ならびにセットされている光ディスクの記録面の色素の指定などの指示を受け入れてパワー設定レジスタをコントロールして前記光ディスクの前記記録面の色素の種類に応じた規定のβ値にて試し書きを行い、その部分を再生して初期記録パワーを求めるＯＰＣ（Optimized Power Control）処理を行い、その求めた記録パワーで３Ｔと１１Ｔを少なくとも含むパターンを前記テスト記録領域に記録し、前記記録したパターンの振幅を測定して振幅が飽和するまで徐々に記録パワーを増大して繰り返し振幅を測定し、飽和直前の記録パワーになるときのパワーを最適記録パワーと決定するインターフェース部と、
前記インターフェース部を介して時々の駆動パワーが読み込まれ前記レーザ駆動回路をコントロールするとともに前記インターフェース部が決定した前記光ディスクの記録面の色素の種類ごとに決定した最適記録パワーが前記インターフェース部を介して書き込まれるパワー設定レジスタと
を有し、前記パワー設定レジスタに書き込まれた記録面の色素の種類ごとに決定された光ディスクの最適記録パワーを前記ホストコンピュータを介して外部に読み出し可能に構成した光ディスク記録再生テスト装置。
【請求項４】
得られた前記最適記録パワーを得るようにβ値を増加しつつＯＰＣを行い、当該β値がある決められた範囲を超えるときは３Ｔマーク長をインクリメントすることによってβ値が低くなるようにマーク長を設定しなおしたのち、再びＯＰＣを行う操作を繰り返すことにより、β値が規定範囲内に入るようにβ値を設定する
請求項１記載の光ディスク記録再生装置の生産方法。
【請求項５】
使用する光ディスクの種類に応じて最適記録パワーを決定するに際し、
記録パワーの決定を実施しようとする光ディスク記録再生テスト装置に書き込み可能な光ディスクをセットし、
前記光ディスクの記録面のテスト記録領域に、前記記録面の色素の種類に応じた規定のβ値にて試し書きを行い、その部分を再生して初期記録パワーを求めるＯＰＣ（Optimized Power Control）処理を行い、その求めた記録パワーで３Ｔと１１Ｔを少なくとも含むパターンを前記テスト記録領域に記録し、
前記記録したパターンの振幅を測定して振幅が飽和するまで徐々に記録パワーを増大して繰り返し振幅を測定し、飽和直前の記録パワーになるときのパワーを最適記録パワーと決定して、上記の処理を記録面の色素の異なる複数の光ディスクについて実施して、各光ディスクの最適記録パワーを決定する
光ディスク記録再生装置の最適記録パワー決定方法。
【発明の詳細な説明】
【技術分野】
【０００１】
本発明は、ＣＤ−Ｒ記録装置などのように書き込み可能な光ディスク記録装置光ディスク記録再生装置の生産方法に関する。
【背景技術】
【０００２】
従来、ＣＤ−Ｒ記録設計、いわゆるライトストラテジ設計はＣＤ−ＣＡＴＳと呼ばれる標準器を用いて出力振幅、シンメトリをはじめとするパラメータの合わせ込みを十分に経験のある熟練者が手動で行っている。とくに記録パワー、およびβ値設計は重要であるが、どのような方針によって決定するのかが不明確でかつ自動化が出来ていないため、設計方針が不明確でかつ多大な時間を必要としていた。
【０００３】
さらに、近年、ＣＤ−Ｒディスクメーカの乱立によるサポートメディア数の増大、メディアの高倍速化に伴うサポート倍速の増加が顕著であり、すべての倍速およびユーザ側のなるべく多くのメディアをとの要望が十分には達成されていないのが現状である。
【０００４】
また、記録パワーおよびシンメトリの設計は十分に経験をつんだ熟練者がノウハウ的に会得しているのが現状であり、一般化、自動化ができていないためマンパワー的な限界に突き当たり、トータルとしてのドライブ性能を落として設計期間を短縮するのが困難である。
【０００５】
また、（特許文献１）にはβ値を自動的に決めることができても、その他のパラメータ(マーク長，パワーマージン)が最適値になっているとは限らず、３Ｔ，１１Ｔパターンの関係がパワーマージンの広い最適値に収束させることは極めて難しい。
【特許文献１】特開２００１−１２６２５４号
【発明の開示】
【発明が解決しようとする課題】
【０００６】
上述のような状況を鑑み、メディアサポート数、対応倍速数などの基本スペックを落とすことなく、また熟練者によるノウハウ的な設計によらず自動的に最適記録パワーおよび最適β値を設計する手法を与える。
【０００７】
すなわち、記録パワーおよびβ値設計の自動化によって誰でもライトストラテジ設計が可能になり、しかも設計速度が飛躍的に早くなるので上述したような従来法の課題、すなわち設計時間が非常に長くなり、スペックダウンするしか開発日程を短縮することが出来ず、また、熟練者によるノウハウ的設計によっていたのでマンパワー的な限界に突き当たるという２点の課題を解決しようとするものである。
【課題を解決するための手段】
【０００８】
本発明の光ディスク記録再生装置の生産方法は、光ディスク記録再生装置を生産するに際し、記録パワーの決定を実施しようとする光ディスク記録再生テスト装置に書き込み可能な光ディスクをセットし、前記光ディスクの記録面のテスト記録領域に、前記記録面の色素の種類に応じた規定のβ値にて試し書きを行い、その部分を再生して初期記録パワーを求めるＯＰＣ（Optimized Power Control）処理を行い、その求めた記録パワーで３Ｔと１１Ｔを少なくとも含むパターンを前記テスト記録領域に記録し、前記記録したパターンの振幅を測定して振幅が飽和するまで徐々に記録パワーを増大して繰り返し振幅を測定し、飽和直前の記録パワーになるときのパワーを最適記録パワーと決定して、上記の処理を記録面の色素の異なる複数の光ディスクについて実施して、各光ディスクの最適記録パワーを決定し、決定した各光ディスクの最適記録パワーを生産する各光ディスク記録再生装置に固定値として書き込むことを特徴とする。
【発明の効果】
【０００９】
本発明によると、ライトストラテジ設計において記録パワーおよびβ値が自動設計できるようになり、設計時間は飛躍的に減少した。また、設計の熟練者は必要なく、マンパワー的な限界はなくなり、設計を自動化できることで設計期間を大幅に短縮できる。
【発明を実施するための最良の形態】
【００１０】
以下、本発明の実施の形態を図１〜図３に基づいて説明する。
図１は光ディスク記録再生装置の生産方法を実施する際に使用する光ディスク記録再生テスト装置を示す。
【００１１】
この光ディスク記録再生テスト装置は、セットされた書き込み可能な光ディスク１の記録面のテスト記録領域への書き込みならびに検出を実施するピックアップ２と、前記ピックアップ２をテスト記録パワーで駆動するレーザ駆動回路３と、前記ピックアップ２の再生経路に介装された自動利得制御回路４，イコライザ５と、３Ｔパターンと１１Ｔパターンの振幅をデジタル変換するアナログ−デジタル変換器６と、前記アナログ−デジタル変換器６によってデジタル変換されたデータを処理するデジタルリードチャネル部７と、ダイアグノスティックコマンド部を有するホストコンピュータ８と、デジタルリードチャネル部７とホストコンピュータ８との間に介装されたインターフェイス部９と、レーザ駆動回路３とインターフェイス部９との間に介装されたパワー設定レジスタ１０とで構成されている。
【００１２】
デジタルリードチャネル部７とインターフェイス部９およびパワー設定レジスタ１０は、図２と図３に示すように運転される。
運転に際しては光ディスクをセットし、パワー設定のルーチンでは、（ステップＳ１）にて、代表的な記録色素であるシアニン、フタロシアニン、アゾの３色素に対するプロトタイプストラテジを与える。プロトタイプストラテジの設定は、ホストコンピュータ８からインターフェース部９を介してＣＤ−ＣＡＴＳ（スウェーデン国オーティオ・ディビロープが開発した、ＣＤ／ＤＶＤ各種ディスク、スタンパーの電気特性評価テストシステム）を用いて手動設定される。このプロトタイプストラテジがあれば他の同系列色素の最適記録パワーおよび最適β値はすべて自動的に決定される。また、運転に際しては、セットした光ディスクの種類もその都度に手動設定される。
【００１３】
（ステップＳ２）（ステップＳ３）では、（ステップＳ１）において手動設定された「セットした光ディスクの種類」が何であるかを判断する。具体的には、「セットした光ディスクの種類」がフタロシアニン記録色素の場合は、（ステップＳ２）より（ステップＳ４）に進み、β値の初期値β０として０を与えて、ＯＰＣ処理で得られたパターンを記録パワーで(ステップＳ７)においてパターンを前記光ディスク１のテスト記録領域に記録し、（ステップＳ８）（ステップＳ９）（ステップＳ１０）を必要回数だけ繰り返し実行して、記録した振幅が飽和する直前の記録パワーを決定する。この(ステップＳ７)（ステップＳ８）（ステップＳ９）（ステップＳ１０）の一連の処理を行う。
【００１４】
また、「セットした光ディスクの種類」がアゾ記録色素の場合は、（ステップＳ２）（ステップＳ３）を経て（ステップＳ５）に進み、β値の初期値β０として“１０”を与え、（ステップＳ７）（ステップＳ８）（ステップＳ９）（ステップＳ１０）を必要回数だけ繰り返し実行して、同様にＯＰＣ処理を行う。
【００１５】
また、「セットした光ディスクの種類」がシアニン記録色素の場合は、（ステップＳ２）（ステップＳ３）を経て（ステップＳ６）に進み、β値の初期値β０として“５”を与え、（ステップＳ７）（ステップＳ８）（ステップＳ９）（ステップＳ１０）を必要回数だけ繰り返し実行して、同様にＯＰＣ処理を行う。
【００１６】
なお、（ステップＳ４）（ステップＳ５）（ステップＳ６）ではメディアメーカが推奨するプロトタイプストラテジを手動設定したが、場合によってはほかの値でもかまわない。
【００１７】
具体的に、前記(ステップＳ７)ではランダムデータ、または１１Ｔパターンと３Ｔパターンの混合パターンを書き込んで記録パワーＰｗｔの自動決定に使用する。なお、ランダムデータには１１Ｔパターンと３Ｔパターンが少なくとも含まれており、１１Ｔパターンと３Ｔパターンの混合パターンとは、１１Ｔと３Ｔの繰り返し、または１１Ｔ連続パターンと３Ｔ連続パターンの繰り返しで構成されている。
【００１８】
前記（ステップ８）では、デジタルリードチャネル部７をホストコンピュータ８により３Ｔ振幅測定モード，１１Ｔ振幅測定モードに設定し、デジタルリードチャネル部６がＡ／Ｄ変換器６の出力の測定を実行する。図中では前記デジタルリードチャネルＤＲＣと表記してある。この結果、３Ｔ出力振幅３Ｔ（ｎ−１）と、１１Ｔ出力振幅１１Ｔ（ｎ−１）を得る。
【００１９】
この３Ｔ振幅はＣＤ−ＲＯＭ再生時の３Ｔ振幅を１として正規化されている。１１Ｔ振幅はＣＤ−ＲＯＭ再生時の１１Ｔ振幅を１として正規化されている。
前記（ステップ９）では、時々の３Ｔが０．３〜０．７の範囲に入っていて、かつ１１Ｔ振幅測定モードでの振幅値が０．６〜１．０の範囲に入っているかを判定し、この範囲に収まっていない場合には、（ステップＳ１０）で記録パワーを０．０５ｍＷづつインクリメントして（ステップＳ７）（ステップＳ８）（ステップＳ９）を繰り返し実行する。
【００２０】
（ステップ９）では、３ＴｎＴが０．３〜０．７の範囲に入れば、３Ｔ出力は飽和したと考えられる。１１Ｔｎの増加分が０．６〜１．０の範囲に入っていれば１１Ｔ出力は飽和したと考えられる。（ステップ１１）では、Ｐｗｔ  ＞  Ｐｗ０  をチェックして、Ｐｗｔ  ＞  Ｐｗ０  でなかった場合には（ステップ１２）でパワー設定ルーチンは終了する。Ｐｗ０は初期パワーである。
【００２１】
もし、(ステップ１１)で初期パワーＰｗ０以上に増加が行われた場合には、その結果のパワーを得るためにβの増量が必要と判断されるので、次いで図３に示すフローチャートを実行する。
【００２２】
（ステップＳ１３）では、βが０．２だけインクリメントされる。このインクリメントしたβによって再び（ステップＳ１４）にてＯＰＣが実行され、（ステップＳ１５）では得られた記録パワーＰｗが(ステップＳ１１)のＰｗｔに等しいか判断し、前記Ｐｗが前記Ｐｗｔと等しくなるまで（ステップＳ１３）から（ステップＳ１５）が繰り返される。
【００２３】
次に次にステップＳ１３〜Ｓ１５のルーチンで得られたβが初期のβ０の＋４０％以内に入っているか判断され、もしもその範囲に入っていればβ値はメディアメーカ推奨値からそれほどかけ離れていないのでここで（ステップＳ２０）で設定ルーチンを終了する。
【００２４】
もしも４０％を超える増加が行われた場合には前記メディアメーカ推奨β値よりかけ離れてしまったと考えられ、３Ｔマーク長を増加させることによってβが大きくなり過ぎないように変更される。この操作は（ステップＳ１７）にて行われる。
【００２５】
次に（ステップＳ１８）にてβは再び前記β０にもどされた後、（ステップＳ１９）を介して（ステップＳ７）に戻ってＯＰＣ処理が実効され、新たに得られた初期パワーＰｗ０によって再び（ステップＳ８）以後が繰り返される。このような結果として、３Ｔ，１１Ｔ出力が飽和し始めるパワーが得られ、またそのときのβもメディアメーカ推奨値の近傍に収束することになる。
【００２６】
このようにして前記ＯＰＣの戻り値によって初期パワーＰｗ０を自動処理によって得ることができる。
上記の一連の処理は、セットする光ディスク１を記録色素がシアニン、記録色素がアゾのものに載せ替えて、それぞれの場合の初期パワーＰｗ０を自動処理によって得ることができる。
【００２７】
このように、自動処理によって求めた各記録色素シアニン、フタロシアニン、アゾの光ディスク１のそれぞれの初期パワーＰｗ０は、例えば、フラッシュメモリなどのパワー設定レジスタ１０に対応して書き込んで残されており、この決定された各光ディスクの最適記録パワーを読み出して、生産する各光ディスク記録再生装置に固定値として書き込むことによって光ディスク記録再生装置を量産化する。
【００２８】
ここで最適記録パワーを決定するために使用した光ディスク記録再生テスト装置は、量産化する光ディスク記録再生装置Ａ（図１参照）のファームウェアを一時的に図２と図３のフローチャートを実行するように書き換えて運転することによって実現することができる。
【産業上の利用可能性】
【００２９】
本発明は、ＣＤ−Ｒ，ＤＶＤを始めとする各種の光ディスクを使用する光ディスク記録再生装置の初期記録パワーを自動処理によって求めることに使用できる。
【図面の簡単な説明】
【００３０】
【図１】本発明の光ディスク記録再生装置の生産方法に使用する光ディスク記録再生テスト装置の構成図
【図２】本発明の光ディスク記録再生装置の生産方法におけるパワー設定ルーチンの前半のフローチャート図
【図３】同実施の形態の後半のフローチャート図
【符号の説明】
【００３１】
１    光ディスク
２    ピックアップ
３    レーザ駆動回路
４    自動利得制御回路
５    イコライザ
６    アナログ−デジタル変換器
７    デジタルリードチャネル部
８    ホストコンピュータ
７    デジタルリードチャネル部
９    インターフェイス部
１０    パワー設定レジスタ
【図１】
2005108309.tif 000003
【図２】
2005108309.tif 000004
【図３】
2005108309.tif 000005